(57)【要約】【課題】集合板と機構板間からの異物の挿入を防止することができる弾球遊技機を提供する。【解決手段】機構板８０は遊技盤３の裏面側で開閉自在に組み付け可能に構成し、集合路７２を形成する集合板７０の集合路形成用後側壁部７５の下部７６と、該下部７６に近接して前記機構板８０の誘導通路８５を形成する誘導通路形成用後側壁部８９の上部９０の一方に凹部又は穴部を形成し、他方に前記凹部又は前記穴部に係合する凸部を形成し、前記集合板７０及び前記機構板８０の組み付け時に前記凹部又は前記穴部に前記凸部が挿入されて、前記凹部又は前記穴部と前記凸部が係合することによって、前記集合路形成用後側壁部７５の下部７６と、前記誘導通路形成用後側壁部８９の上部９０とが重なっていることを特徴とする。【選択図】図４
2004249144.tif 000002
【特許請求の範囲】
【請求項１】
遊技球の入球可能な複数の入賞口と、該入賞口の何れにも入球しなかった遊技球を回収するためのアウト口を有する遊技領域が形成された遊技盤と、
前記遊技盤後面側に設けられ、前記入賞口に入球した遊技球を集合させる集合路を有する集合板と、
前記集合路からの遊技球及び前記遊技盤のアウト口からの遊技球を受け止めて遊技機外部に排出するために前記集合路及び前記アウト口に通じ、前記集合路及び前記アウト口からの遊技球を収容できる誘導通路を有する機構板とを備えた弾球遊技機において、
前記機構板は前記遊技盤の裏面側で開閉自在に組み付け可能に構成し、
前記集合路を形成する集合板の集合路形成用後側壁部の下部と、該下部に近接して前記機構板の誘導通路を形成する誘導通路形成用後側壁部の上部の一方に凹部又は穴部を形成し、他方に前記凹部又は前記穴部に係合する凸部を形成し、
前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっていることを特徴とする弾球遊技機。
【請求項２】
遊技球の入球可能な複数の入賞口と、該入賞口の何れにも入球しなかった遊技球を回収するためのアウト口を有する遊技領域が形成された遊技盤と、
前記遊技盤後面側に設けられ、前記入賞口に入球した遊技球を集合させる集合路を有する集合板と、
前記集合路からの遊技球及び前記遊技盤のアウト口からの遊技球を受け止めて遊技機外部に排出するために前記集合路及び前記アウト口に通じ、前記集合路及び前記アウト口からの遊技球を収容できる誘導通路を有する機構板とを備えた弾球遊技機において、
前記機構板は前記遊技盤の裏面側で開閉自在に組み付け可能に構成し、
前記集合板の集合路形成用後側壁部の下部と、前記機構板の誘導通路形成用後側壁部の上部に、凹部又は穴部及びそれに係合する凸部をそれぞれ形成し、
前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっていることを特徴とする弾球遊技機。
【請求項３】
前記凸部は前記集合路形成用後側壁部の下部の下端部と前記誘導通路形成用後側壁部の上部の上端部に形成されていると共に、前記凹部又は前記穴部が前記集合路形成用後側壁部の下部の下端部と前記誘導通路形成用後側壁部の上部の上端部から所定距離離れた位置に形成されていることを特徴とする請求項２に記載の弾球遊技機。
【発明の詳細な説明】
【技術分野】
【０００１】
本発明は、パチンコ遊技機等の弾球遊技機に関し、特には遊技盤の入賞口に入球した入賞球を集合させるための集合板と、該集合板を介して集められた入賞球或いは遊技盤のアウト口からのアウト球を遊技機外部に排出するための誘導通路を有する機構板とを備えた弾球遊技機に関する。
【背景技術】
【０００２】
従来、パチンコ遊技機等の弾球遊技機においては、図１１に示すように、遊技球Ｐの入球可能な複数の入賞口、図では符号１０２〜１０４と、該入賞口の何れにも入球しなかった遊技球Ｐを回収するためのアウト口（排出口とも称される。）１０５を有する遊技領域１０１が前面側に形成された遊技盤１００を備えている。なお、図示の入賞口１０２は上側第１種始動入賞口に相当し、入賞口１０３は下側第１種始動入賞口に相当して二つの可動片１１１，１１１を有する普通電動役物（チャッカーとも称される。）１１０で構成されている。また、図示の入賞口１０４は大入賞口に相当し、該入賞口１０４は大当り時（特別遊技実行時とも称される。）に開放される開閉板１１６を有する特別電動役物（大入賞装置）１１５で構成されている。図中の符号Ｔは前記入賞口１０３に入球した遊技球を検出するフォトセンサや近接スイッチ等よりなる始動入賞口用入賞球検出手段、１１７は前記遊技盤１００の前面側を覆うガラス扉である。
【０００３】
この種の弾球遊技機においては、前記遊技盤１００の各入賞口に入球した遊技球Ｐは、前記遊技盤１００後面側（裏面側）に設けられた集合板（球寄せとも称される。）１２０により集められると共に、該集められた遊技球は、機構板１３０における集合板１２０の下方位置に設けられた入賞球用誘導通路１３１へ流れ、入賞球の一括的な検出を行ってから遊技機外部に排出されるようになっている。一方、前記遊技盤１００のアウト口１０５に入球した遊技球Ｐは、前記アウト口１０５と連通するように遊技盤１００の下部及び基枠（遊技盤取付枠とも称される。）１４０に形成されたアウト球用誘導通路１４１を通り、機構板１３０の前を通過して遊技機外部に排出されるようになっている。すなわち、従来では、各入賞口に入球した入賞球をアウト口に入球したアウト球とは別個に検出できるようにするため、前記入賞球とアウト球の処理経路は別々に別れていた。
【０００４】
ところが、近年の弾球遊技機では、図１２及び図１３に示すように、各入賞口１０２〜１０４，１５０〜１５４自体、或いはその近傍にフォトセンサや近接スイッチ等の検出手段Ｔ１〜Ｔ８を設けて、各入賞口毎に入賞球の検出を行うようにすることが多くなってきている。このように各入賞口自体に検出器を設けた場合、上記の如く入賞球とアウト球とを別々に処理する必要がなくなるため、集合板１２０には入賞球を集める集合路１２１を設け、また機構板１３０には入賞球兼アウト球用誘導通路１５５を前記遊技盤１００のアウト口１０５と前記集合板１２０の集合路１２１と通じるように設け、前記集合路１２１で集められた入賞球とアウト口１０５により回収されたアウト球とを、前記機構板１３０の入賞球兼アウト球用誘導通路１５５で合流させ、その入賞球兼アウト球用誘導通路１５５を介して遊技球（入賞球及びアウト球）をまとめて遊技機外部へ誘導して排出するようになってきた。なお、図１２及び図１３では、図１１中の部材と同一部材については同一符号が付されている。
【０００５】
しかしながら、上記入賞球とアウト球とをまとめて処理する現存の遊技機においては、図示するように集合板１２０内を通った遊技球が機構板１３０内へ流れるとき、集合板１２０の下部とそれに近接する機構板１３０の部位の間から遊技球が零れないようにはなっているものの、前記の箇所で集合板１２０と機構板１３０の間に隙間（空間）Ｇができていた。このように集合板１２０と機構板１３０の間に隙間Ｇがあると、該隙間Ｇから前記アウト口１０５を経由して遊技盤１００前面側へセルやピアノ線等の異物を挿入し易くなるため、前記遊技盤１００前面側へ挿入した異物により、普通電動役物や特別電動役物等の入賞装置のソレノイドを操作したり、該入賞装置の可動片や開閉板を開いて、入賞口に遊技球を入球し易くしたり、入賞口に入球もしてないのに賞球を払い出したりする等の不正行為が行われるおそれがあった。
【発明の開示】
【発明が解決しようとする課題】
【０００６】
本発明はこのような状況に鑑みなされたもので、集合板と機構板間からの異物の挿入を防止することができる弾球遊技機を提供することを目的とする。
【課題を解決するための手段】
【０００７】
請求項１の発明は、遊技球の入球可能な複数の入賞口と、該入賞口の何れにも入球しなかった遊技球を回収するためのアウト口を有する遊技領域が形成された遊技盤と、前記遊技盤後面側に設けられ、前記入賞口に入球した遊技球を集合させる集合路を有する集合板と、前記集合路からの遊技球及び前記遊技盤のアウト口からの遊技球を受け止めて遊技機外部に排出するために前記集合路及び前記アウト口に通じ、前記集合路及び前記アウト口からの遊技球を収容できる誘導通路を有する機構板とを備えた弾球遊技機において、前記機構板は前記遊技盤の裏面側で開閉自在に組み付け可能に構成し、前記集合路を形成する集合板の集合路形成用後側壁部の下部と、該下部に近接して前記機構板の誘導通路を形成する誘導通路形成用後側壁部の上部の一方に凹部又は穴部を形成し、他方に前記凹部又は前記穴部に係合する凸部を形成し、前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっていることを特徴とする。
【０００８】
請求項２の発明は、遊技球の入球可能な複数の入賞口と、該入賞口の何れにも入球しなかった遊技球を回収するためのアウト口を有する遊技領域が形成された遊技盤と、前記遊技盤後面側に設けられ、前記入賞口に入球した遊技球を集合させる集合路を有する集合板と、前記集合路からの遊技球及び前記遊技盤のアウト口からの遊技球を受け止めて遊技機外部に排出するために前記集合路及び前記アウト口に通じ、前記集合路及び前記アウト口からの遊技球を収容できる誘導通路を有する機構板とを備えた弾球遊技機において、前記機構板は前記遊技盤の裏面側で開閉自在に組み付け可能に構成し、前記集合板の集合路形成用後側壁部の下部と、前記機構板の誘導通路形成用後側壁部の上部に、凹部又は穴部及びそれに係合する凸部をそれぞれ形成し、前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっていることを特徴とする。
【０００９】
請求項３の発明は、請求項２において、前記凸部は前記集合路形成用後側壁部の下部の下端部と前記誘導通路形成用後側壁部の上部の上端部に形成されていると共に、前記凹部又は前記穴部が前記集合路形成用後側壁部の下部の下端部と前記誘導通路形成用後側壁部の上部の上端部から所定距離離れた位置に形成されていることを特徴とする。
【発明の効果】
【００１０】
請求項１の発明に係る弾球遊技機によれば、集合路を形成する集合板の集合路形成用後側壁部の下部と、該下部に近接して機構板の誘導通路を形成する誘導通路形成用後側壁部の上部の一方に凹部又は穴部を形成し、他方に前記凹部又は前記穴部に係合する凸部を形成し、前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっているため、前記集合板と機構板間からのセルやピアノ線等の異物の挿入を防ぐことができる。そのため、従来の弾球遊技機において問題となっていた、集合板と機構板との隙間からの異物の挿入による不正行為を防止することができる。
【００１１】
請求項２の発明に係る弾球遊技機によれば、集合板の集合路形成用後側壁部の下部と、機構板の誘導通路形成用後側壁部の上部に、凹部又は穴部及びそれに係合する凸部をそれぞれ形成し、前記集合板及び前記機構板の組み付け時に前記凹部又は前記穴部に前記凸部が挿入されて前記凹部又は前記穴部と前記凸部が係合することによって、前記集合路形成用後側壁部の下部と、前記誘導通路形成用後側壁部の上部とが重なっているため、前記請求項１の発明と同様に、前記集合板と機構板間からのセルやピアノ線等の異物の挿入を防ぐことができ、従来の弾球遊技機において問題となっていた、集合板と機構板との隙間からの異物の挿入による不正行為を防止することができる。
【００１２】
また、請求項３の発明によれば、請求項２において、前記凸部は前記集合路形成用後側壁部の下部の下端部と前記誘導通路形成用後側壁部の上部の上端部に形成されていると共に、前記凹部又は前記穴部が前記集合路形成用後側壁部の下部の下端部と前記誘導通路形成用後側壁部の上部の上端部から所定距離離れた位置に形成されているため、前記集合板の集合路形成用後側壁部と前記機構板の誘導通路形成用後側壁部間の隙間をなくすことができると共に、前記集合板と前記機構板の組み付け位置を決めることができる。
【００１３】
以下添付の図面に基づき本発明の好適な実施形態を説明する。図１は本発明の第１実施例の弾球遊技機を示す正面図、図２は第１実施例に係る弾球遊技機の一部部材を取り外した状態の後面（裏面）図、図３は第１実施例における遊技盤，集合板，機構板の概略後面図、図４は第１実施例における遊技盤，集合板，機構板の部分断面図、図５は第２実施例における遊技盤，集合板，機構板の部分断面図、図６は第３実施例における遊技盤，集合板，機構板について集合板と機構板との係合前を示す部分断面図、図７は第３実施例における遊技盤，集合板，機構板について集合板と機構板との係合後を示す部分断面図、図８は第４実施例における遊技盤，集合板，機構板について集合板と機構板との係合前を示す部分断面図、図９は第４実施例における遊技盤，集合板，機構板について集合板と機構板との係合後を示す部分断面図、図１０は第５実施例における遊技盤，集合板，機構板の部分断面図である。
【００１４】
図１及び図２に示す弾球遊技機１は、本発明の第１実施例に係る弾球遊技機、ここではパチンコ遊技機であり、外枠２内に遊技盤３が着脱交換可能に収容されており、その遊技盤３の縁に遊技球の外側ガイドレール４及び内側ガイドレール５が略円形に立設され、前記内側ガイドレール５によって囲まれた遊技領域６に、普通図柄表示装置８、特別図柄表示装置９、各種の入賞口及びアウト口３０、発射装置３１等を備える。また、前記外枠２の前側には前枠４５が開閉自在に取り付けられているとともに、その前枠４５には前記遊技盤３の前面側を覆うようにガラス扉Ｗが取り付けられている。なお、図２は弾球遊技機１の一部部品（主制御基板や払出制御基板や中央カバー等）を取り外した状態の後面（裏面）を示している。
【００１５】
前記入賞口としては、特別図柄表示装置９の下方に上側第１種始動入賞口１０、可動片１１ａ，１１ｂを有する普通電動役物（チャッカーとも称される。）Ｙ１で構成される下側第１種始動入賞口１１、特別電動役物（大入賞装置とも称される。）Ｙ２で構成される大入賞口１５が配設され、また、前記上側及び下側第１種始動入賞口１０，１１の左右には左袖入賞口２３と右袖入賞口２５、前記大入賞口１５の両側には左落とし入賞口２７と右落とし入賞口２９が配設されている。なお、前記特別電動役物Ｙ２は、大当り時（特別遊技時に）開放可能な開閉板１６を有していると共に、その開閉板１６の内側（裏側）には前記大入賞口１５と特定領域入賞口１７（図３参照）が設けられている。そして、発射装置３１の操作ハンドル３２の操作により発射された遊技球が外側ガイドレール４と内側ガイドレール５間の通路を通って遊技領域内に発射され、転動しながら落下し、前記各入賞口へ入球すると、その入球が後述する各検出手段により検出され、所定数の賞球（遊技球）が球払出口３６から上受け皿３８上に払い出されるようになっている。また、何れの入賞口にも入球しなかった遊技球は前記アウト口３０に入球して回収されるようになっている。
【００１６】
前記特別図柄表示装置９の左右には普通図柄変動開始用左ゲート３９及び普通図柄変動開始用右ゲート４１が設けられ、該普通図柄変動開始用左ゲート３９及び普通図柄変動開始用右ゲート４１に遊技球が入球することにより前記普通図柄表示装置８で普通図柄が変動し、特定の普通図柄で停止することによって、小当たりとなって、前記普通電動役物Ｙ１の可動片１１ａ，１１ｂが拡開開放し、前記下側第１種始動入賞口１１に遊技球が入球し易くなる。
【００１７】
前記遊技盤３の裏面（後面）には、図３に示すように、前記普通電動役物Ｙ１の可動片１１ａ，１１ｂを開閉する第１種始動入賞口用ソレノイドＨ１が設けられているとともに、前記第１種始動入賞口１０，１１に入球（入賞）した球を検出するフォトセンサや近接スイッチ等よりなる始動入賞口用入賞球検出手段Ｓ１，Ｓ２が当該入賞口１０，１１近傍に設けられている。そして、前記第１種始動入賞口１０，１１に遊技球が入球すると、その遊技球（入賞球）が前記始動入賞口用入賞球検出手段Ｓ１，Ｓ２により検出され、前記特別図柄表示装置９で特別図柄が変動すると共に、所定数の遊技球が賞球として払い出されるようになっている。
【００１８】
また、前記遊技盤３の大入賞口１５（特別電動役物Ｙ２）の背面側には、前記特別電動役物Ｙ２の開閉板１６を開閉する大入賞口開放用ソレノイドＨ２と、前記特定領域入賞口１７の開閉扉（図示せず）を所定条件時に開閉するための特定領域開放用ソレノイドＨ３とが設けられている。またさらに、前記大入賞口１５への入賞球数を検出する大入賞口用入賞球検出手段（入賞球数カウントスイッチ）Ｓ３が大入賞口１５の近傍に設けられていると共に、前記特定領域入賞口１７への入賞球を検出するフォトセンサや近接スイッチ等よりなる特定領域入賞口用入賞球検出手段（特定入賞球検出スイッチ）Ｓ４が特定領域入賞口１７の近傍に設けられている。上記特別電動役物Ｙ２の作動について説明すれば、前記第１種始動入賞口１０，１１への遊技球の入球に起因して、特別図柄表示装置９で特別図柄が所定時間変動した後、特定の組合せの図柄で停止すると、大当りになって、前記特別電動役物Ｙ２の開閉板１６が所定回数開閉を繰り返して、前記大入賞口１５及び特定領域入賞口１７に入球し易くし、それらの入賞口１５，１７への入球ごとに所定数の遊技球が大当り賞球として払い出されるようになっている。なお、前記特別電動役物Ｙ２の開閉板１６の開放中又は閉じてから所定時間以内に、前記特定領域入賞口１７へ入球した遊技球を前記特定領域入賞口用入賞球検出手段Ｓ４が検出した場合に限って、前記特別電動役物Ｙ２の開閉板１６の開放を再度繰り返す継続権利が発生し、その開放回数が所定最高回数となったときに大当りが終了するようになっている。
【００１９】
また、この実施例の遊技盤３の後面側（裏面側）においては、前記左袖入賞口２３及び右袖入賞口２５の近傍には、フォトセンサや近接スイッチ等よりなる左袖入賞口用入賞球検出手段Ｓ５と右袖入賞口用入賞球検出手段Ｓ６がそれぞれ設けられている。さらに、左落とし入賞口２７及び右落とし入賞口２９の近傍には、フォトセンサや近接スイッチ等よりなる左落とし入賞口用入賞球検出手段Ｓ７と右落とし入賞口用入賞球検出手段Ｓ８がそれぞれ設けられている。そして、前記各入賞口へ遊技球が入球すると、その入球した遊技球が前記各検出手段Ｓ５〜Ｓ８により検出され、所定数の賞球が払い出されるようになっている。
【００２０】
前記構成からなる遊技盤３は、前記外枠２の前側に開閉自在に取り付けられた前枠４５の後側（裏側）に固定された基枠（遊技盤取付枠とも称される。）４６を介して着脱可能に取り付けられている。なお、この実施例の基枠４６は、前記前枠４５と別体とされ、ネジ等で前枠４５後面に固定されているが、前枠４５と基枠４６をプラスチック等で一体に形成してもよい。
【００２１】
さらに、前記遊技盤３の裏側には、図２〜図４から理解されるように、集合板７０、機構板８０や各種の基板等が配設されている。なお、図中の符号３３は発射装置３１の操作ハンドル３２の操作により駆動する発射モータと、３４は発射モータ３３の駆動により間欠的に揺動して遊技球を弾発発射する打球杆、５１は遊技球を溜めるタンク、５２はタンクレール、５３は枠用外部出力端子基板、５４は電源基板、５５は盤面用外部出力基板、５６はランプ中継基板、５７はスイッチ中継基板、５８は音声制御基板、５９はランプ制御基板、６０は補給スイッチ、６１は賞球払出機構部、６２は貸球払出機構部、６３は電源プラグである。
【００２２】
集合板７０は、前記各入賞口に入球した遊技球、つまり入賞球Ｐ１を集めるためのものである。この集合板７０は、各入賞口及び前記各入賞球を検出するための各検出手段等を覆うように前記遊技盤３後面（裏面）に取り付けられ、当該集合板７０と遊技盤３との間に入賞球流通空間７１を構成するようになっている。また、前記入賞球流通空間７１の下部には、後述の機構板８０の誘導通路に通じる集合路７２が設けられ、該集合路７２を介して前記各入賞口からの入賞球を集合させて、機構板８０の誘導通路方向（ここでは下方）へ誘導するようになっている。この集合路７２は、遊技盤３の後面（裏面）と集合路形成用後側（裏側）壁部７５とによって構成されている。
【００２３】
機構板８０は、機構枠体や裏機構枠体等とも称され、前記タンク５１，タンクレール５２，賞球払出機構部６１，貸球払出機構部６２等、当該弾球遊技機１の遊技の進行に必要な各種の裏構成部品が取り付けられるためのものである。実施例の機構板８０は、略中央に開口部８１が設けられた形状からなって、前記集合板７０全体或いはその一部が前記開口部８１内に位置するように遊技盤３の裏側に配設される。なお、実施例の機構板８０は、前記基枠４６に着脱可能に、かつ開閉自在に取り付けられている。
【００２４】
また、当該機構板８０は、前記集合板７０の集合路７２からの入賞球（遊技球）Ｐ１及び前記遊技盤３のアウト口３０から入球したアウト球（遊技球）Ｐ２を受け止めて遊技機１外部に排出するための誘導通路（入賞球兼アウト球用誘導通路）８５を有している。この実施例では、前記誘導通路８５は、前記開口部８１周縁の下部に、前記集合板７０の集合路７２に近接（隣接）して設けられている。また、該誘導通路８５は上方が開口し、その開口８６を介して前記集合路７２及びアウト口３０に通じ、それらからの入賞球Ｐ１及びアウト球Ｐ２（遊技球）を収容できるようになっている。なお、実施例の誘導通路８５は、誘導通路形成用前側（遊技盤側）壁部８７，誘導通路形成用下側壁部８８，誘導通路形成用後側（裏側）壁部８９によって構成されている。前記機構板８０の誘導通路形成用後側壁部８９は、前記集合板７０の集合路形成用後側壁部７５に近接している。また、図示では省略したが、前記誘導通路形成用後側壁部８９の後側（裏側）に、機構板の強度向上や各種部品を取り付けるための補強部材等を設けるようにしても良い。
【００２５】
そして、この第１実施例に係る弾球遊技機１では、図４からより容易に理解されるように、前記集合路７２を形成する集合板７０の集合路形成用後側壁部７５の下部７６と、機構板８０における前記集合板７０の集合路形成用後側壁部７５の下部７６に近接して前記誘導通路８５を形成する誘導通路形成用後側壁部８９の上部９０とが重なるように、前記集合板７０及び機構板８０が組み付けられている。この第１実施例では、前記機構板８０の誘導通路形成用後側壁部８９の上端面９１から誘導通路形成用下側壁部８８までの距離（高さ）を、誘導通路形成用前側壁部８７の上端面から誘導通路形成用下側壁部８８までの距離よりも大にして、前記誘導通路形成用後側壁部８９の上端面９１を前記集合板７０の集合路形成用後側壁部７５の下端面７７よりも上方に位置させ、かつ当該誘導通路形成用後側壁部８９の上部９０を前記集合板７０の集合路形成用後側壁部７５の下部７６の外側に位置させることによって、両者が重なるように構成されている。なお、前記誘導通路形成用前側壁部８７の上端位置は、前記アウト口３０からの遊技球の誘導通路８５への流通を妨げないような位置、例えばアウト口３０の下端位置よりも下方に設定される。図４中の符号６４は音声制御基板５８やランプ制御基板５９等の基板が掲載された合板を表している。
【００２６】
このように構成すれば、前記アウト口３０を経由して集合板７０と機構板８０間から遊技盤３前面側へセルやピアノ線等の異物を挿入し難くなり、従来技術の欄で説明したような不正行為を防止できるようになる。なお、図示の例では、前記集合板７０における集合路形成用後側壁部７５の下部７６の後面と、前記機構板８０における誘導通路形成用後側壁部８９の上部９０の前面は完全には接触しておらず、隙間Ｇｘを有しているが、該隙間Ｇｘが微小であり、さらには図１２及び図１３に示した誘導通路形成用後側壁部の上端面と集合路形成用後側壁部の下端面との間に、遊技機の前後方向Ｍに沿う隙間Ｇができる従来構造とは異なり、当該第１実施例の隙間Ｇｘは遊技機１の上下方向Ｎに沿っているので、前記セルやピアノ線等の異物の挿入を十分、防止することができる。勿論、前記集合路形成用後側壁部７５の下部７６と前記誘導通路形成用後側壁部８９の上部９０とが完全に接触して、両者が整合するようにしても良い。
【００２７】
次に、本発明の第２実施例について、図５を用いて説明する。なお、図５では、前記第１実施例と同一部材は同一符号で示し、その説明は省略する。この第２実施例に係る弾球遊技機１Ａでは、前記第１実施例と同様に、機構板８０の誘導通路形成用後側壁部８９の上端面９１が集合板７０の集合路形成用後側壁部７５の下端面７７よりも上方に位置し、かつ前記第１実施例とは違って、前記誘導通路形成用後側壁部８９の上部９０が、前記集合路形成用後側壁部７５の下部７６に外側から隙間無く密着（整合）することによって、両者が重ね合わさっている。このようにすれば、前記集合板７０の集合路形成用後側壁部７５と前記機構板８０の誘導通路形成用後側壁部８９間に隙間が生じるのを避けることができ、上記異物の挿入をより確実に防ぐことができる。
【００２８】
また、図示の例では、前記集合路形成用後側壁部７５下端に後方（裏側）へ突出する後側突出部ｋ１が形成されると共に、前記誘導通路形成用後側壁部８９上端に前方へ突出する前側突出部ｋ２が形成され、前記集合路形成用後側壁部７５の後側突出部ｋ１付近の部分（凹部）と前記誘導通路形成用後側壁部８９の前側突出部（凸部）ｋ２とが当接して係合するように、前記誘導通路形成用後側壁部８９と集合路形成用後側壁部７５とを密着させている。このようにすれば、集合板７０及び機構板８０の組み付け時に、両者を一定かつ正確な位置に組み付けることができる。
【００２９】
次に、本発明の第３実施例について、図６及び図７を用いて説明する。なお、図６は第３実施例の弾球遊技機１Ｂの要部における集合板７０と機構板８０の係合前の状態を示し、図７は同要部における集合板７０と機構板８０の係合後の状態を示している。この第３実施例では、集合板７０と機構板８０の係合構造以外は前記第２実施例と同じであるため、前記集合板７０と機構板８０の係合構造についてのみ説明することにする。図６及び図７において、前記第１及び第２実施例と同一部材は同一符号で示す。
【００３０】
この第３実施例では、集合板７０の集合路形成用後側壁部７５の下端に後方へ突出する第１係合凸部（後側突出部）ｋ３が形成されると共に、その近傍（図では上方）に第１係合穴部（孔部）ｋ４が形成され、一方、機構板８０の誘導通路形成用後側壁部８９上端に、前記第１係合穴部ｋ４に対応し、前方へ突出する第２係合凸部（前側突出部）ｋ５が形成されると共に、その近傍（図では下方）に、前記第１係合凸部ｋ３に対応する第２係合穴部ｋ６が形成されている。そして、前記集合板７０及び機構板８０の組み付け時に、図７の如く、前記第１係合凸部ｋ３と第２係合穴部ｋ６とが、及び第１係合穴部ｋ４と第２係合凸部ｋ５とが係合し、集合板７０の集合路形成用後側壁部７５の下部７６と機構板８０の誘導通路形成用後側壁部８９の上部９０とが隙間無く完全に密着して両者が重ね合うようになっている。このようにすれば、第２実施例と同様に、前記集合板７０の集合路形成用後側壁部７５と前記機構板８０の誘導通路形成用後側壁部８９間の隙間を無くすことができると共に、前記係合凸部又は係合穴部ｋ３〜ｋ６によって、集合板７０と機構板８０の組み付け位置が決まるので、該集合板７０と機構板８０を簡単かつ正確に組み付けることができ、しかも集合板７０と機構板８０の組み付け強度が向上する利点がある。なお、前記係合穴部ｋ４，ｋ６の代わりに前記係合凸部ｋ３，ｋ５と合致する凹部（窪み部）を前記集合路形成用後側壁部７５及び誘導通路形成用後側壁部８９に形成するようにしても良い。
【００３１】
続いて、本発明の第４実施例について、図８及び図９を用いて説明する。なお、図８は第４実施例の弾球遊技機１Ｃの要部における集合板７０と機構板８０の係合前の状態を示し、図９は同要部における集合板７０と機構板８０の係合後の状態を示している。この第４実施例では、集合板７０と機構板８０の係合構造以外は前記第２及び第３実施例と同じであるため、前記集合板７０と機構板８０の係合構造についてのみ説明することにする。図８及び図９において、前記第１〜第３実施例と同一部材は同一符号で示す。
【００３２】
この第４実施例では、集合板７０の集合路形成用後側壁部７５の後面における下端から所定距離離れた位置に係合凹部（窪み部）ｋ７が形成されると共に、機構板８０の誘導通路形成用後側壁部８９の上端の前側に前記係合凹部ｋ７に対応し、前方へ突出する係合凸部（前側突出部）ｋ８が形成されている。そして、前記集合板７０及び機構板８０の組み付け時に、図９の如く、前記係合凹部ｋ７と係合凸部ｋ８とが係合し、集合板７０の集合路形成用後側壁部７５の下部７６と機構板８０の誘導通路形成用後側壁部８９の上部９０とが隙間無く完全に密着して両者が重ね合うようになっている。このようにすれば、第２及び第３実施例と同様に、前記集合板７０の集合路形成用後側壁部７５と前記機構板８０の誘導通路形成用後側壁部８９間の隙間を無くすことができると共に、前記係合凹部ｋ７及び係合凸部ｋ８によって、集合板７０と機構板８０の組み付け位置が決まる。なお、前記係合凹部ｋ７の代わりに前記係合凸部ｋ８を挿入可能な穴部を集合板７０の集合路形成用後側壁部７５に形成するようにしても良い。また、この実施例とは反対に、集合板７０の集合路形成用後側壁部７５に係合凸部を、機構板８０の誘導通路形成用後側壁部８９に係合凹部又は係合穴部を形成してもよい。
【００３３】
さらに、集合板７０の集合路形成用後側壁部７５の下部７６と、機構板８０の誘導通路形成用後側壁部８９の上部９０のそれぞれに形成される凹部又は穴部とそれに係合する凸部は、第２〜第４実施例の場合に限定されず、適宜の位置に適宜数の凹部又は穴部とそれに係合する凸部を前記集合路形成用後側壁部７５及び誘導通路形成用後側壁部８９に形成することができる。
【００３４】
また、上記第１〜第４実施例においては、機構板８０の誘導通路形成用後側壁部８９の上部９０が、集合板７０の集合路形成用後側壁部７５の下部７６の外側に位置しているが、本発明はこれに限定されず、集合板の集合路形成用後側壁部の下部が、機構板の誘導通路形成用後側壁部の上部の外側に位置するように、両者が重なるようにしても良い。なお、集合板の集合路形成用後側壁部の下部と、機構板の誘導通路形成用後側壁部の上部の何れの部位が外側に位置するかは、集合板と機構板の組み付け順序や組み付け作業のし易さ等を考慮して選択される。
【００３５】
またさらに、上記第１〜第４実施例では、集合板７０の集合路形成用後側壁部７５の下部７６と、機構板８０の誘導通路形成用後側壁部８９の上部９０とが重なるように構成されているが、図１０に示す第５実施例に係る弾球遊技機１Ｄのように、集合路７２を形成する集合板７０の集合路形成用後側壁部７５の下部７６と、機構板８０の誘導通路８５を形成する誘導通路形成用後側壁部８９の上部９０とが、それらの互いに対向する端面７７，９１同士で当接するようにしても、前記集合板７０の集合路形成用後側壁部７５と前記機構板８０の誘導通路形成用後側壁部８９間の隙間を無くすことができ、アウト口３０を経由する遊技盤３前面側への異物の挿入を防ぐことができる。なお、図示しないが、前記集合板７０の集合路形成用後側壁部７５の端面（下端面）７７と前記機構板８０の誘導通路形成用後側壁部８９の端面（上端面）９１のそれぞれに、凸部又は該凸部に対応する凹部を形成し、それらの係合によって、前記集合路形成用後側壁部７５の端面７７と前誘導通路形成用後側壁部８９の端面９１とが係合するようにしても良い。そうすれば、両端面７７，９１をズレなく当接させることができ、ひいては集合板７０及び機構板８０の組み付け作業をスムーズに行うことができる利点がある。
【００３６】
なお、本発明は、上述した各実施例に限定されるものではなく、発明の趣旨を逸脱しない範囲において構成の一部を適宜に変更して実施することができる。例えば、上記各実施例では、第１種始動入賞口１０，１１への遊技球の入球に起因して特別図柄表示装置９で図柄等の識別情報の変動を開始し、該識別情報が所定の表示結果となると特別遊技状態（大当り状態）となって、大入賞口１５等を有する特別電動役物Ｙ２を開放する弾球遊技機（第１種パチンコ遊技機とも呼ばれている。）を例示しているが、特にこれに限定されることない。例を挙げれば、所定の入賞口への遊技球の入球に起因して所定の表示装置で図柄等の識別情報の変動を開始し、該識別情報が所定の表示結果となると、権利発生状態となり、その状態で特定の入賞領域に遊技球が入球した場合に特別遊技状態となるような弾球遊技機等にも本発明を適用することができる。
【図面の簡単な説明】
【００３７】
【図１】本発明の第１実施例の弾球遊技機を示す正面図である。
【図２】第１実施例に係る弾球遊技機の一部部材を取り外した状態の後面図である。
【図３】第１実施例における遊技盤，集合板，機構板の概略後面図である。
【図４】第１実施例における遊技盤，集合板，機構板の部分断面図である。
【図５】第２実施例における遊技盤，集合板，機構板の部分断面図である。
【図６】第３実施例における遊技盤，集合板，機構板について集合板と機構板との係合前を示す部分断面図である。
【図７】第３実施例における遊技盤，集合板，機構板について集合板と機構板との係合後を示す部分断面図である。
【図８】第４実施例における遊技盤，集合板，機構板について集合板と機構板との係合前を示す部分断面図である。
【図９】第４実施例における遊技盤，集合板，機構板について集合板と機構板との係合後を示す部分断面図である。
【図１０】第５実施例における遊技盤，集合板，機構板の部分断面図である。
【図１１】従来の一般的な弾球遊技機における遊技盤，集合板，機構板の部分断面図である。
【図１２】従来の入賞球とアウト球を一括して処理する弾球遊技機における遊技盤，集合板，機構板の概略後面図である。
【図１３】図１２の弾球遊技機における遊技盤，集合板，機構板の部分断面図である。
【符号の説明】
【００３８】
１，１Ａ，１Ｂ，１Ｃ，１Ｄ  弾球遊技機
３  遊技盤
６  遊技領域
１０，１１  第１種始動入賞口
１５  大入賞口
１７  特定領域入賞口
２３，２５  袖入賞口
２７，２９  落とし入賞口
３０  アウト口
７０  集合板
７２  集合路
７５  集合路形成用後側壁部
７６  集合路形成用後側壁部の下部
７７  集合路形成用後側壁部の下端面
８０  機構板
８５  誘導通路
８９  誘導通路形成用後側壁部
９０  誘導通路形成用後側壁部の上部
９１  誘導通路形成用後側壁部の上端面
ｋ１〜ｋ８  凸部又は凹部若しくは穴部
Ｐ１  遊技球（入賞球）
Ｐ２  遊技球（アウト球）
【図１】
2004249144.tif 000003
【図２】
2004249144.tif 000004
【図３】
2004249144.tif 000005
【図４】
2004249144.tif 000006
【図５】
2004249144.tif 000007
【図６】
2004249144.tif 000008
【図７】
2004249144.tif 000009
【図８】
2004249144.tif 000010
【図９】
2004249144.tif 000011
【図１０】
2004249144.tif 000012
【図１１】
2004249144.tif 000013
【図１２】
2004249144.tif 000014
【図１３】
2004249144.tif 000015